(57)【要約】【課題】ダマの発生が起こりづらく、また、まつ毛をきれいにカールさせることができるマスカラ塗布具を提供すること。【解決手段】マスカラ塗布具１０は、支持軸１１の先端に、支持軸１１の長手方向に延びる塗布ヘッド１２を備えている。塗布ヘッド１２は、それぞれ塗布ヘッド１２の長手方向に延びる、マスカラ薬剤の塗布機能を有する塗布部１７と、マスカラ薬剤の掻き取り機能を有する掻き取り部１８とを有する。塗布部１７と掻き取り部１８とは交互に並列配置されていることが好ましい。塗布部１７は、多数のコーム状突出片、多数の毛材、又は多数の溝部から構成されており、該突出片間、該毛材間、該溝部内にマスカラ薬剤が貯留可能になっている。掻き取り部１８は、細長い板状体、又はマスカラ薬剤の貯留を妨げる程度に密植された多数の毛材から構成されている。【選択図】図１
2008114055.tif 000002
【特許請求の範囲】
【請求項１】
支持軸の先端に、該支持軸の長手方向に延びる塗布ヘッドを備え、
前記塗布ヘッドは、それぞれ該塗布ヘッドの長手方向に延びる、マスカラ薬剤の塗布機能を有する塗布部と、マスカラ薬剤の掻き取り機能を有する掻き取り部とを有するマスカラ塗布具。
【請求項２】
前記塗布部が、多数のコーム状突出片、多数の毛材、又は多数の溝部から構成されており、該突出片間、該毛材間、該溝部内にマスカラ薬剤が貯留可能になっている請求項１記載のマスカラ塗布具。
【請求項３】
前記掻き取り部が、板状体、又はマスカラ薬剤の貯留を妨げる程度に密植された多数の毛材から構成されている請求項１又は２記載のマスカラ塗布具。
【請求項４】
前記掻き取り部は、前記塗布部と同等又はそれ以上の硬さを有し、
前記塗布ヘッドをその軸線方向からみたときに、前記掻き取り部の高さが前記塗布部の高さの１〜１．２倍になっている請求項１ないし３の何れかに記載のマスカラ塗布具。
【請求項５】
前記掻き取り部が、機械的な植毛によって密植された多数の前記毛材からなり、該毛材の直径が５０〜２００μｍ、単位表面積当たりの毛材の数が４〜２０本／ｍｍ2である請
求項３又は４記載のマスカラ塗布具。
【請求項６】
前記掻き取り部が、静電植毛によって密植された多数の前記毛材からなり、該毛材の直径が５〜１００μｍ、長さが０．１〜２ｍｍである請求項３又は４記載のマスカラ塗布具。
【請求項７】
前記掻き取り部が前記板状体からなり、該板状体の長手方向に沿う自由端が波形をしている請求項３又は４記載のマスカラ塗布具。
【請求項８】
マスカラ薬剤を収容した容器と、該マスカラ薬剤中に前記塗布ヘッドが浸漬されている請求項１ないし７の何れかに記載のマスカラ塗布具とを備えたマスカラ化粧用具であって、該マスカラ薬剤として、以下の方法で測定される湾曲角度が５度以上であるものが収容されているマスカラ化粧用具。
〔湾曲角度の測定方法〕
幅２ｃｍ、長さ５ｃｍ、厚さ７５μｍの矩形状のポリエチレンテレフタレート製フィルム（帝人デュポン（株）製、メチネックスＳ）における長手方向中央部の位置に、幅方向にわたって固形分２０重量％のマスカラ薬剤を、幅５ｍｍにてスペーサー５００μｍのコーターで塗布する。乾燥後の塗布厚は２５０μｍとする。温度２３℃、湿度５０％ＲＨの環境下で１２時間放置する。１２時間経過後、フィルムの曲がり角度を測定し、その値を湾曲角度とする。
【発明の詳細な説明】
【技術分野】
【０００１】
本発明はマスカラ塗布具に関する。
【背景技術】
【０００２】
マスカラブラシとしては、例えば熱可塑性樹脂からなる複数のブラシ繊維束を、二条の金属芯線材によって挟持しながら、これらをらせん状に捻回することによって得られる、いわゆるスクリューブラシが知られている（特許文献１参照）。このようなブラシを用いてまつ毛に賦与する化粧効果には種々のものがあるが、そのなかでもカール効果は必須のものである。カール効果を得るためには、マスカラ薬剤が貯留したマスカラブラシを用いて、多量の薬剤をまつ毛に塗布する必要がある。しかし、そのためには何度も重ね塗りが必要であり手間がかる。更に、重ね塗りすることで、化粧効果が悪くなるという不都合もある。具体的には、マスカラ薬剤の入っている容器と、まつ毛の間をブラシが何度も行き来するので時間がかかり、その間に先に塗られている薬剤が固化してしまい、固化したところをブラシで梳くと、せっかく塗った薬剤が剥がれてしまい、いわゆるダマが発生しやすくなる。
【０００３】
ところで、前記の特許文献１に記載のマスカラブラシは、ブラシ部に貯留されるマスカラ薬剤の量が、ブラシ軸の全周面においてほぼ一定である。そこで、一つのブラシ部中に、薬剤の貯留量の多い部位と少ない部位とを形成するための提案がなされている。例えば特許文献２には、ブラシ部の軸に、軸に対して直交する多数の溝を設け、該溝の深さを異ならせることで、該溝に保持されるマスカラ薬剤の量を変えることが提案されている。特許文献３には、軸体から放射状に延びる毛材からなるブラシ部の周端近くに、軸方向に延びる仕切部材を設けてブラシの毛先面を２以上の部分に仕切り、仕切られた各部分の毛材の長さや密度を異ならせることで、各部分におけるマスカラ薬剤の付着量を変えることが提案されている。特許文献４には、芯材周囲に放射状に突出する毛材からなるブラシ部に、該毛材を押し退けるように進入部材を進入させて、毛材の密度が高い部分と低い部分とを該ブラシ部に設けて、これらの部分におけるマスカラ薬剤の付着量を変えることが提案されている。しかし、これらのマスカラブラシによっても、マスカラ薬剤の塗布時におけるダマの発生を確実に防止することは容易でない。
【０００４】
【特許文献１】特開昭６３−１４３００６号公報
【特許文献２】実開昭６１−８６１１２号公報
【特許文献３】実開昭６２−５８５１５号公報
【特許文献４】特開２００３−６１７４７号公報
【発明の開示】
【発明が解決しようとする課題】
【０００５】
従って本発明の目的は、前述した従来技術が有する欠点を解消し得るマスカラ塗布具を提供することにある。
【課題を解決するための手段】
【０００６】
本発明は、支持軸の先端に、該支持軸の長手方向に延びる塗布ヘッドを備え、
前記塗布ヘッドは、それぞれ該塗布ヘッドの長手方向に延びる、マスカラ薬剤の塗布機能を有する塗布部と、マスカラ薬剤の掻き取り機能を有する掻き取り部とを有し、
前記塗布部と前記掻き取り部とが交互に並列配置されているマスカラ塗布具を提供するものである。
【発明の効果】
【０００７】
本発明によれば、塗布部によってマスカラ薬剤をまつ毛の下側からまつ毛全体に行き渡るように塗布したときに、まつ毛の下側に塗布されたマスカラ薬剤が、掻き取り部によって強制的に掻き取られるので、薬剤の塗布操作を繰り返し行ってもダマの発生が起こりづらくなる。また、まつ毛の下側に塗布されたマスカラ薬剤が掻き取り部によって掻き取られ、マスカラ薬剤がまつ毛の上側に偏在することになるので、まつ毛をきれいにカールさせることができる。特に、乾燥による収縮の程度が高いマスカラ薬剤を併用することで、まつ毛を一層きれいにカールさせることができる。本発明のマスカラ塗布具は、特に乾燥速度の速いマスカラ薬剤を塗布する場合に有効である。
【発明を実施するための最良の形態】
【０００８】
以下本発明を、その好ましい実施形態に基づき図面を参照しながら説明する。図１（ａ）には、本発明のマスカラ塗布具の一実施形態が示されている。図１（ｂ）は、図１（ａ）に示す塗布具の塗布ヘッドをその軸線方向から見た図である。マスカラ塗布具１０は、棒状の支持軸１１と、支持軸１１の先端に支持された塗布ヘッド１２と、支持軸１１の後端に結合した把持部１３とを有している。
【０００９】
塗布ヘッド１２は支持軸１１の長手方向に延びている。塗布ヘッド１２はその全体として略円柱状の形状をしている。塗布ヘッド１２は、芯材１４と、該芯材１４に保持された多数の毛材１５と有している。毛材１５は、芯材１４の周囲から突出している。芯材１４の軸線方向から見ると、毛材１５は放射状に突出している。毛材１５は、例えば熱可塑性樹脂からなる複数のブラシ繊維束を、二条の金属芯線材（図示せず）によって挟持しながら、これらをらせん状に捻回することによって芯材１４に保持されている。なお本明細書において毛材と言うときには、文脈に応じ、一本一本の毛材を指す場合と、多数の毛材の集合体を指す場合とがある。
【００１０】
塗布ヘッド１２には、細長い矩形の板状体１６が複数個取り付けられている。ここで細長いとは、板状体１６の厚みが０．１〜１ｍｍであり、かつ板状体１６の長さが５〜４０ｍｍであることを言う。板状体１６は、その長手方向が塗布ヘッド１２の長手方向に一致するように塗布ヘッド１２に取り付けられている。詳細には、図１（ａ）及び（ｂ）に示すように、本実施形態においては３個の板状体１６を用いており、各板状体１６は、長手方向に沿う一対の側縁のうち、一方の側縁が芯材１４に固着されている。他方の側縁は自由端１６Ｆになっている。そして各板状体１６は、図１（ｂ）に示すように、その幅方向が、芯材１４を中心として放射状に延びるように配置されている。３個の板状体１６は等間隔で配置、即ち隣り合う板状体１６のなす角度が１２０度となるように配置されている。
【００１１】
塗布ヘッド１２に板状体１６が３個配置されていることで、塗布ヘッド１２における毛材１５は、これら３個の板状体１６によって３個に仕切られている。その結果、塗布ヘッド１２には図１（ｂ）に示すように、第１毛材群１５Ａ、第２毛材群１５Ｂ及び第３毛材群１５Ｃが形成されている。各毛材群１５Ａ，１５Ｂ，１５Ｃは何れも塗布ヘッド１２の長手方向に延びている。
【００１２】
各毛材群１５Ａ，１５Ｂ，１５Ｃにおいては、毛材１５間にマスカラ薬剤の貯留が可能になっている。従って各毛材群１５Ａ，１５Ｂ，１５Ｃは、マスカラ薬剤の塗布機能を有する塗布部１７としての働きを有する。各毛材群１５Ａ，１５Ｂ，１５Ｃが塗布ヘッド１２の長手方向に延びていることは上述の通りであるから、これら毛材群からなる各塗布部１７も塗布ヘッド１２の長手方向に延びている。
【００１３】
一方、各塗布部１７間に位置している板状体１６は、塗布部１７と同等又はそれ以上に硬く構成されている。ここで言う硬い板状体とは、板状体が撓みづらいことを意味する。従って、本実施形態のマスカラ塗布具１０を用いてまつ毛にマスカラ薬剤を塗布する場合には、撓みづらく構成されている板状体１６が、塗布部１７によってまつ毛に一旦塗布されたマスカラ薬剤を掻き取ることになる。つまり板状体１６は、マスカラ薬剤の掻き取り部１８としての働きを有する。各板状体１６が、塗布ヘッド１２の長手方向に延びていることは上述の通りであるから、各板状体１６からなる各掻き取り部１８も塗布ヘッド１２の長手方向に延びている。
【００１４】
このように、塗布ヘッド１２においては、マスカラ薬剤の塗布部１７及びマスカラ薬剤の掻き取り部１８が何れも塗布ヘッド１２の長手方向に延びている。また、塗布部１７及び掻き取り部１８は塗布ヘッド１２の周方向に沿って交互に並列配置されている。
【００１５】
図２（ａ）ないし（ｅ）には、図１（ａ）及び（ｂ）に示す塗布具１０を用いたマスカラ薬剤の塗布方法が示されている。先ず図２（ａ）に示すように、塗布ヘッド１２の塗布部１７にマスカラ薬剤が貯留した塗布具を、まつ毛の下方からまつ毛へ接近させる。次いで図２（ｂ）に示すように、塗布部１７の毛材１５間にまつ毛を入り込ませる。この状態下に図２（ｃ）に示すように、塗布ヘッド１２を上方に移動させ、塗布部１７の毛材１５間に貯留されているマスカラ薬剤をまつ毛に塗布する。この状態においては、マスカラ薬剤はまつ毛の下側だけでなく上側にも塗布されている。次に、図２（ｃ）に示す操作によって塗布ヘッド１２を上方に移動させながら、図２（ｄ）に示すように、塗布ヘッド１２を軸周りにまつ毛の下方からまつ毛の上方にむけて回転させる。この回転動作によって、塗布ヘッド１２における掻き取り部１８が、まつ毛の下側に塗布されているマスカラ薬剤を掻き取る。この回転動作は、腕を殆ど動かすことなく指先を少し動かすだけの動作なので、マスカラ塗布具の操作を安定して行うことができる。その結果、まつ毛が新たに塗布部に触れることなくマスカラ薬剤を掻き取ることが出来る。それによって図２（ｅ）に示すように、薬剤はまつ毛の上側に偏在する。
【００１６】
以上の通り、まつ毛の下側に塗布されたマスカラ薬剤が掻き取り部１８によって強制的に掻き取られることで、薬剤を重ね塗りしてもダマの発生が抑制される。従って、マスカラ薬剤の塗布の仕上がりが良好になる。特に、マスカラ薬剤として乾燥速度の速いものはダマの発生が起こりやすい傾向にあるが、掻き取り部１８によって強制的に掻き取ることで、乾燥速度の速いマスカラ薬剤でもダマの発生を抑制できる。また、この掻き取りによってマスカラ薬剤がまつ毛の上側に偏在することで、まつ毛を上方に向けて湾曲したきれいなカール形状にすることができる。
【００１７】
乾燥速度（乾燥時間）の速いマスカラ薬剤とは、マスカラ薬剤をスペーサー１０μｍのコーターでガラス板上に塗布し、その上をコピー用紙で覆い、１００ｇの天秤用分銅を乗せたときの転写性を１０秒毎に測定し、転写性が認められなくなったときの時間を乾燥時間としたとき、その乾燥時間が２３℃・６５％ＲＨの条件下で２分以内のものを言う。
【００１８】
以上の効果を一層確実にする観点から、塗布部１７における毛材１５の太さは、直径で表して５０〜１６０μｍ、特に７５〜１３０μｍであることが好ましい。毛材１５の数は１〜１０本／ｍｍ2、特に１〜５本／ｍｍ2であることが、十分な量のマスカラ薬剤を毛材１５間に貯留し得る点から好ましい。毛材１５の長さは芯材から１〜４ｍｍ、特に２〜３ｍｍであることが、操作性の点から好ましい。
【００１９】
一方、掻き取り部１８を構成する板状体１６は、プラスチックや金属から構成されていることが、十分な掻き取り効果を発現させる点から好ましい。前述の通り、掻き取り部１８は、塗布部１７と同様又はそれよりも撓みにくく構成されている。具体的には、以下に述べる方法によって、塗布部１７及び掻き取り部１８の撓みづらさを測定する。
【００２０】
〔塗布部１７及び掻き取り部１８の撓みづらさ指標の測定方法〕
引張試験機（テンシロン）にて直径φ５ｍｍの球先端を有する鉄製の測定子を１０ｍｍ／ｍｉｎの速度で塗布部又は掻き取り部に０．５ｍｍ押し込んだときの荷重を測定し、その値を撓みづらさの指標とする。荷重が５ｇ以上のとき撓みづらい（硬い）と判定し、５ｇ未満のとき撓みやすい（軟らかい）と判定する。
【００２１】
掻き取り部１８によるマスカラ薬剤の掻き取りを一層効果的に行う点から、塗布ヘッド１２をその軸線方向からみたときに、塗布部１７に隣接する掻き取り部１８の高さが、掻き取り部１８に隣接する塗布部１７の高さの１〜１．２倍、特に１〜１．１倍になっていることが好ましい。
【００２２】
図３（ａ）及び（ｂ）には、図１に示すマスカラ塗布具１０における板状体１６の別の形態が示されている。図３（ａ）及び（ｂ）は、板状体１６の長手方向に沿う自由端１６Ｆの要部拡大図である。図３（ａ）及び（ｂ）に示す形態においては、板状体１６の長手方向に沿う自由端１６Ｆが何れも波形をしている。詳細には、図３（ａ）においては自由端Ｆが鋸歯形をしている。図３（ｂ）においては自由端Ｆが矩形波状の形状をしている。板状体１６の自由端１６Ｆがこのような波形をしていることによって、板状体１６によるマスカラ薬剤の掻き取り効果に加えて、波形の自由端１６Ｆによるまつ毛の梳きの効果も奏される。波形をしている部分は、自由端Ｆの全長にわたっていてもよく、或いは自由端Ｆの一部分であってもよい。
【００２３】
以上の効果を一層確実なものとする観点から、図３（ａ）に示す鋸歯形の自由端Ｆにおいては、深さ方向の切り込みＤが０．３〜１．５ｍｍ、特に０．３〜１．０ｍｍであることが好ましい。切り込みの幅Ｗは０．４〜１．２ｍｍ、特に０．６〜１．２ｍｍであることが好ましい。図３（ａ）においては、鋸歯の三角形は截頭されている。截頭部の幅Ｓは０．１〜０．３ｍｍ、特に０．１〜０．２ｍｍであることが、肌への傷付き防止の点から好ましい。
【００２４】
図３（ｂ）に示す矩形波状の自由端Ｆにおいては、深さ方向の切り込みＤが０．５〜１ｍｍ、特に０．５〜０．８ｍｍであることが好ましい。切り込みの幅Ｗは０．５〜１．５ｍｍ、特に０．５〜１．０ｍｍであることが好ましい。切り込み部間に位置する起立部の幅Ｓは０．１〜０．３ｍｍ、特に０．２〜０．３ｍｍであることが好ましい。
【００２５】
本実施形態のマスカラ塗布具１０を、マスカラ薬剤を収容した容器と組み合わせることでマスカラ化粧用具が提供される。即ちこのマスカラ化粧用具は、マスカラ薬剤を収容した容器と、該マスカラ薬剤中に塗布ヘッド１２が浸漬されていマスカラ塗布具１０とを備えたものである。本実施形態のマスカラ塗布具１０によって塗布されるマスカラ薬剤の種類に特に制限はなく、従来公知のものを塗布の対象とすることができる。特に、以下の方法で測定される湾曲角度が５度以上、特に１０度以上であるマスカラ薬剤を本実施形態の塗布具１０と組み合わせて使用することで、まつ毛に一層きれいなカールを賦与することができる。
【００２６】
〔湾曲角度の測定方法〕
図４（ａ）に示すように、幅２ｃｍ、長さ５ｃｍ、厚さ７５μｍの矩形状のポリエチレンテレフタレート製フィルム（帝人デュポン（株）製、メチネックスＳ）における長手方向中央部の位置に、図４（ｂ）に示すように、幅方向にわたって固形分２０重量％のマスカラ薬剤を、幅５ｍｍにてスペーサー５００μｍのコーターで塗布し塗膜Ｍを形成する。乾燥後の塗布厚は例えば２５０μｍとなる。塗膜Ｍを温度２３℃、湿度５０％ＲＨの環境下で１２時間放置する。図４（ｃ）に示すように、乾燥によって塗膜Ｍは収縮する。１２時間経過後、図４（ｄ）に示すように、フィルムＦの曲がり角度θを測定し、その値を湾曲角度とする。
【００２７】
前記の湾曲角度を有するマスカラ薬剤は、これをまつ毛に塗布して乾燥させた場合に、その収縮の程度が大きいものである。ところで先に述べた通り、本実施形態の塗布具を用いてマスカラ薬剤をまつ毛に塗布すると、まつ毛の上側に薬剤が偏在する。従ってこの偏在したマスカラ薬剤が乾燥時の収縮の程度が大きなものであると、カールの形状が一層顕著なものとなるという利点がある。
【００２８】
前記の湾曲角度を有するマスカラ薬剤としては、下記に定義されるポリマー占有分変化率（ΔＷ）が１３％以上であるポリマー（以下ポリマー（Ａ）という）及び水を含有し、ポリマー（Ａ）の含有量が３〜５０重量％であるものが挙げられる。
【００２９】
〔ポリマー占有分変化率（ΔＷ）〕
ΔＷは、ポリマーを成膜させる過程において、被膜硬度が鉛筆硬度２Ｂとなってから乾燥するまでのポリマー占有分の変化率で、式（Ｉ）で表される値である。
ΔＷ＝Ｗ２−Ｗ１ （Ｉ）
ここで、Ｗ１及びＷ２は、ポリマー濃度２０重量％の水溶液を調製し、２枚のガラス板上にそれぞれアプリケーターで２５０μｍの厚さで、１１ｃｍ×２０ｃｍの面積に塗布し、２３℃、６５％ＲＨの条件下で乾燥させ、１枚のポリマー展開ガラス板で乾燥に伴う塗布膜の重量変化を測定し、もう１枚で被膜硬度を鉛筆硬度法により測定し、ポリマーの被膜硬度が鉛筆硬度２Ｂ時のポリマー占有分を下記式で算出してＷ１（％）とし、塗布後２４時間後（以下乾燥後という）のポリマー占有分を下記式で算出してＷ２（％）とする。
Ｗ１（％）＝［Ｗｐ／Ｗ１ｔ］×１００
Ｗ２（％）＝［Ｗｐ／Ｗ２ｔ］×１００
（式中、Ｗｐは塗布時の塗布膜中のポリマー重量、Ｗ１ｔは鉛筆硬度２Ｂ時の塗布膜重量、Ｗ２ｔは乾燥後の塗布膜重量である。）
【００３０】
ポリマー（Ａ）としては、前記で定義されたポリマー占有分変化率（ΔＷ）が１３％以上のポリマーであれば、ポリマーの組成、形態にかかわらず使用できるが、ΔＷが１３〜３５％のポリマーが好ましく、１５〜３０％のポリマーが更に好ましい。
【００３１】
ポリマー（Ａ）としては、例えば、ポリメタクリル酸又はその塩等のアクリル系ポリマー、ポリスチレンスルホン酸又はその塩等のスチレン系ポリマー、ポリウレタン、アクリル−ポリウレタン、ポリエステル−ポリウレタン、ポリエーテル−ポリウレタン等のウレタン系ポリマー等が挙げられる。これらポリマーの中では、安全性、ポリマー硬度の面から、メタクリル酸及びその塩から選ばれる少なくとも１種の構成モノマー単位を有するポリマー、スチレンスルホン酸及びその塩から選ばれる少なくとも１種の構成モノマー単位を有するポリマーが好ましく、メタクリル酸及びその塩から選ばれる少なくとも１種の構成モノマー単位を有するポリマーが更に好ましい。また、塩としては、アルカリ金属塩、アルカリ土類金属塩、アンモニウム塩等が挙げられる。
【００３２】
ポリマー（Ａ）の重量平均分子量（ＧＰＣにより測定、ポリエチレングリコール換算）は、５０００〜１００万が好ましく、８０００〜５０万が更に好ましい。また、ポリマー（Ａ）は、水溶液系、水／アルコール混合溶液系、もしくはエマルジョン系など、形態にかかわらず使用できる。
【００３３】
マスカラ薬剤中のポリマー（Ａ）の含有量は、良好なカールを与える観点から３重量％以上で、粘度の面で使用し易い点から５０重量％以下であり、３．５〜５０重量％が好ましく、３．５〜４０重量％が更に好ましい。また、マスカラ薬剤中の水の含有量は、２０〜９５重量％が好ましく、３０〜９０重量％が更に好ましく、４０〜８０重量％が特に好ましい。
【００３４】
次に、本発明の他の実施形態を、図５（ａ）及び（ｂ）を参照しながら説明する。本実施形態に関し特に説明しない点については、先に述べた実施形態に関する説明が適宜適用される。図５（ａ）及び（ｂ）において図１（ａ）及び（ｂ）と同じ部材には同じ符号を付してある。
【００３５】
本実施形態の塗布具１０においては、塗布ヘッド１２が、支持軸１１の長手方向に延びる芯材１４を有している。芯材１４は先端がやや細くなっている柱状をしている。芯材１４は、その外周面を周方向に二分割したうちの一方側に位置する第一の面２１と他方側に位置する第２の面２２とを有している。芯材１４の断面は円形又は楕円形であることが好ましい。なお、断面が楕円形であるときは、芯材１４の外周面は長軸によって二分割され、第一の面２１及び第２の面２２が形成されることが好ましい。
【００３６】
第１の面２１には、多数のコーム状突出片２３が立設されている。芯材１４の軸線方向から見ると、突出片２３は放射状に突出している。突出片２３は、先端が丸みを帯びてやや細くなっている柱状をしている。突出片２３は、例えば芯材１４と共に一体成形によって形成することができる。突出片２３は、その形状がすべて同じになっている。突出片２３は、芯材１４の長手方向に沿って所定間隔を置いて規則的に直線状に配置されて列をなしている。そしてその列が、芯材１４の周方向に沿って所定間隔を置いて多列に配列されている。長手方向及び周方向に隣り合う突出片２３どうしの間隔は、隣り合う突出片２３の間にマスカラ薬剤が十分に貯留され得るような値に設定される。このように突出片２３が配置されていることで、塗布ヘッド１２における第１の面２１側は、マスカラ薬剤の塗布部１７になっている。
【００３７】
柱状の突出片２３は、その高さが０．５〜２ｍｍ、特に１．０〜１．５ｍｍであることが、操作性が良好になる点、及び十分な量のマスカラ薬剤を突出片２３間に貯留し得る点から好ましい。突出片２３の太さは、直径で表して０．２〜１ｍｍ、特に０．３〜０．４ｍｍであることが、操作性が良好になる点から好ましい。突出片２３の太さが高さ方向で一様でない場合には、前記の直径は、最も太い部分での値を言う。隣り合う突出片２３どうしの間隔は、第１の面２１の長手方向及び幅方向の何れにおいても０．３〜１ｍｍ、特に０．４〜０．８ｍｍであることが、十分な量のマスカラ薬剤を突出片２３間に貯留し得る点から好ましい。同様の理由により、第１の面２１の単位面積当たりの突出片２３の数は１〜５本／ｍｍ2、特に２〜４本／ｍｍ2であることが好ましい。隣り合う突出片２３どうしの間隔は、第１の面２１の長手方向及び周方向において同じでもよく、或いは異なっていてもよい。
【００３８】
第２の面２２には毛材２４が密植されている。ここで言う密植とは、毛材２４間におけるマスカラ薬剤の貯留を妨げる程度の高密度で毛材２４が植毛されていることをいう。毛材２４は、その一端が芯材１４の第２の面２２に結合されて第２の面２２から起立している。毛材２４は機械的植毛法又は静電植毛法によって芯材１４に結合される。毛材２４がこのように植毛されていることで、塗布ヘッド１２における第２の面２２側は、マスカラ薬剤の掻き取り部１８になっている。
【００３９】
マスカラ薬剤を効果的に掻き取る観点から、毛材２４が機械的な植毛によって密植されている場合には、毛材２４の直径は５０〜２００μｍ、特に７０〜１６０μｍであることが好ましく、長さが０．５〜４ｍｍ、特に０．５〜２．０ｍｍであることが好ましく、単位面積当たりの毛材２４の数が４〜２０本／ｍｍ2、特に４〜１０本／ｍｍ2、とりわけ４〜８本／ｍｍ2であることが好ましい。毛材２４が静電植毛によって密植されている場合には、毛材２４の直径は２０〜８０μｍ、特に３０〜５０μｍであることが好ましく、長さが０．１〜２ｍｍ、特に０．５〜２ｍｍ、とりわけ０．７〜１．５ｍｍであることが好ましく、単位面積当たりの毛材の数が１０〜５００本／ｍｍ2、特に１０〜１００本／ｍｍ2であることが好ましい。
【００４０】
図６（ａ）及び（ｂ）には、図５（ａ）及び（ｂ）に示す塗布具１０を用いたマスカラ薬剤の塗布方法が示されている。先ず図６（ａ）に示すように、塗布ヘッド１２の塗布部１７にマスカラ薬剤が貯留した塗布具を、まつ毛の下方からまつ毛へ接近させる。そして塗布部１７の突出片２３間にまつ毛を入り込ませる。この状態下に、塗布ヘッド１２を上方に移動させ、塗布部１７の突出片２３間に貯留されているマスカラ薬剤をまつ毛に塗布する。
【００４１】
このようにしてまつ毛にマスカラ薬剤が塗布されたら、次に図６（ｂ）に示すように、塗布ヘッド１２を１８０度回転させる。そして塗布部１２における掻き取り部１８をまつ毛に押し当てて、その状態下に塗布ヘッド１２を上方に移動させ、まつ毛の下側に塗布されている薬剤を掻き取る。それによって、マスカラ薬剤はまつ毛の上側に偏在するようになる。
【００４２】
以上、本発明をその好ましい実施形態に基づき説明したが、本発明は前記実施形態に制限されない。例えば前記実施形態においては、マスカラ薬剤の塗布部１７として毛材１５や柱状の突出片２３が用いられたが、これに代えて、円柱状の軸の周面上に、該軸と交差する方向に延びる多数の溝部、例えばコイルの軌跡を描く溝部を形成し、該溝部内にマスカラ薬剤を貯留するようにした塗布部を用いてもよい。
【００４３】
また、塗布部１７と掻き取り部１８の組み合わせは前記実施形態に限られず、例えば、コーム状突出片や溝部からなる塗布部と、板状体からなる掻き取り部とを組み合わせてもよい。或いは、毛材１５からなる塗布部と、密植された毛材２４からなる掻き取り部とを組み合わせてもよい。
【００４４】
また、塗布部と掻き取り部の組み合わせを一対と数えた時、塗布具の周方向にわたって一対から四対までの範囲で塗布部と掻き取り部の組み合わせを配設することが好ましい。
【００４５】
更に本発明の塗布具はマスカラ薬剤をまつ毛に塗布するのに特に適したものであるが、これ以外にも例えば眉毛や頭髪の生え際に薬剤や化粧料を塗布するために用いることもできる。
【実施例】
【００４６】
以下、実施例により本発明を更に詳細に説明する。しかしながら本発明の範囲はかかる実施例に制限されない。
【００４７】
以下に説明する実施例及び比較例で用いたマスカラ薬剤Ｘ及びマスカラ薬剤Ｙは、以下の表１に示す各成分をワックスの融点まで加熱した後に均一攪拌混合することにより調製した。なお、マスカラ薬剤Ｙに配合する高収縮性ポリマーは以下の方法にて調製された。
【００４８】
〔マスカラ薬剤に配合する高収縮性ポリマーの調製〕
ガラス製反応容器にメタクリル酸（和光純薬（株）製）３００ｇ、エタノール１．５Ｌ、重合開始剤Ｖ−６５（和光純薬（株）製）１．７３ｇを入れ、６５℃で４時間重合した。得られたポリマー溶液をアセトン２０Ｌに滴下し再沈殿を行った。沈殿物を回収し、減圧下、６５℃で１２時間以上乾燥し、カセイソーダーでｐＨ６に調整して、ポリメタクリル酸（以下ＰＭＡＡという）を得た。得られたＰＭＡＡの重量平均分子量（ＧＰＣにより測定、ポリエチレングリコール換算）は１８万であった。このＰＭＡＡのΔＷは２１であった。ポリマー占有分変化率（ΔＷ）とはポリマーを成膜させる過程において、被膜硬度が鉛筆硬度２Ｂとなってから乾燥するまでのポリマー占有分の変化率を表す値である。
【００４９】
【表１】
2008114055.tif 000003
【００５０】
〔実施例１〕
図１（ａ）及び（ｂ）に示すマスカラ塗布具を作製した。塗布ヘッド１２における毛材１５の直径は１３０μｍ、芯材の中心からの長さは２．５ｍｍ、密度（最表面）は４本／ｍｍ2であった。板状体１６はステンレス製であり、芯材の中心からの高さは２．７５ｍｍ、長さは２５ｍｍ、厚み幅は０．４ｍｍであった。板状体１６の自由端１６Ｆは図３（ａ）に示すように鋸歯形であった。鋸歯の深さ方向の切り込みＤは０．３ｍｍ、切り込みの幅Ｗは０．８ｍｍ、截頭部の幅Ｓは０．１ｍｍであった。塗布部の撓みづらさ指標は４ｇ、掻き取り部の撓みづらさ指標は５０ｇ以上であった。塗布に用いたマスカラ薬剤は、表１に記載の高収縮性ＰＭＡＡを配合したマスカラ薬剤Ｙであった。
【００５１】
〔実施例２〕
図５（ａ）及び（ｂ）に示すマスカラ塗布具を作製した。支持軸１１、芯材１４及び突出片２３はポリエステル系エラストマー樹脂を用いてこれらを成形により形成した。突出片２３はその高さが１．５ｍｍ、直径は０．４ｍｍ、単位面積当たりの突出片２３の数は４本／ｍｍ2であった。芯材１４における第２の面２２には静電植毛により、ナイロン樹脂からなる毛材２４を密植した。毛材２４の長さは１．０ｍｍであり、直径は０．０５ｍｍであった。単位面積当たりの毛材１７の数は５０本／ｍｍ2であった。塗布部の撓みづらさ指標は３．５ｇ、掻き取り部の撓みづらさ指標は２０ｇであった。塗布に用いたマスカラ薬剤は、表１に記載の高収縮性ＰＭＡＡを配合したマスカラ薬剤Ｙであった。
【００５２】
〔比較例１〕
複数のブラシ繊維束（毛材）を金属芯線材によって挟持しながら、これらをらせん状に捻回することによってスクリューブラシを得た。塗布ヘッドにおける毛材１５の直径は１００μｍ、芯材の中心からの長さは２．５ｍｍ、密度は４本／ｍｍ2であった。塗布に用いたマスカラ薬剤は、表１に記載の高収縮性ＰＭＡＡを配合したマスカラ薬剤Ｘであった。
【００５３】
〔実施例３〕
実施例１において、塗布に用いたマスカラ薬剤として、表１に記載の低収縮性ＰＡＡを配合したマスカラ薬剤Ｘを用いた以外は同一の条件とした。
【００５４】
〔比較例２〕
比較例１において、塗布に用いたマスカラ薬剤として、表１に記載の低収縮性ＰＡＡを配合したマスカラ薬剤Ｙを用いた以外は同一の条件とした。
【００５５】
実施例及び比較例で得られたマスカラ塗布具を用いて、１０人のパネラーを対象として、まつ毛にマスカラ薬剤を塗布させた。塗布操作は次の手順で行った。しぼり弁（径φ４．５ｍｍ）がセットされたマスカラ薬剤の入っているマスカラ容器を用意し、実施例及び比較例で得られたマスカラ塗布具をマスカラ容器内のマスカラ薬剤に浸漬させる。塗布具は、塗布具を容器から引き上げるときにセットされたしぼり弁を通過するため余分なマスカラ薬剤はそぎ取られ塗布部に貯留するマスカラ薬剤の量は調整された状態になる。前記状態の塗布具を、それぞれまつ毛の下から上に梳き上げる方法にてまつ毛に塗布した。
【００５６】
マスカラ薬剤が塗布されたまつ毛のカールの程度及び仕上がりのきれいさ（ダマの発生防止）を、それぞれ以下に説明するマスカラの平均塗布回数及びダマ個数で評価した。
【００５７】
〔平均塗布回数〕
塗布回数は上記方法にてパネラーにマスカラを塗布させ、パネラーが満足するカール度が得られるまでの回数とし、塗布回数をパネラーから聞き取り調査した。そして１０人のパネラーの塗布回数の平均値を平均塗布回数とした。平均塗布回数を下記基準で４段階に評価し、結果を表２に示した。
【００５８】
◎：平均塗布回数が１〜５回である
○：平均塗布回数が６〜１０回である
△：平均塗布回数が１１〜１５回である
×：平均塗布回数が１６回以上である
【００５９】
〔ダマ個数の測定方法〕
パネラーが満足するまで塗布したマスカラ薬剤塗布後のまつ毛を、真上から写真撮影する。拡大倍率２０倍の写真から任意に１ｃｍ2の範囲を選び、３０μｍ以上のマスカラ薬剤の固まりをダマ個数とし、１０人のパネラーのダマ個数の平均値を求めた。測定したダマ個数を下記基準で４段階に評価し、結果を表２に示した。
【００６０】
◎：ダマ個数が０個以上６個未満である
○：ダマ個数が６個以上１１個未満である
△：ダマ個数が１１個以上１６個未満である
×：ダマ個数が１６個以上である
【００６１】
【表２】
2008114055.tif 000004
【図面の簡単な説明】
【００６２】
【図１】図１（ａ）は、本発明のマスカラ塗布具の一実施形態を示す斜視図であり、図１（ｂ）は、図１（ａ）に示す塗布具の塗布ヘッドをその軸線方向から見た図である。
【図２】図２（ａ）ないし（ｅ）は、図１（ａ）及び（ｂ）に示すマスカラ塗布具を用いたマスカラ薬剤の塗布方法を順次示す説明図である。
【図３】図３（ａ）及び（ｂ）は、図１に示すマスカラ塗布具における板状体の別の形態を示す要部拡大図である。
【図４】図４（ａ）ないし（ｄ）は、マスカラ薬剤の湾曲角度の測定方法を示す説明図である。
【図５】図５（ａ）及び（ｂ）はそれぞれ、本発明のマスカラ塗布具の別の実施形態を示す斜視図及び正面図である。
【図６】図６（ａ）及び（ｂ）は、図５（ａ）及び（ｂ）に示すマスカラ塗布具を用いたマスカラ薬剤の塗布方法を順次示す説明図である。
【符号の説明】
【００６３】
１０  マスカラ塗布具
１１  支持軸
１２  塗布ヘッド
１３  把持部
１４  芯材
１５  毛材
１６  板状体
１７  塗布部
１８  掻き取り部
２１  第１の面
２２  第２の面
２３  突出片
２４  毛材
【図１】
2008114055.tif 000005
【図２】
2008114055.tif 000006
【図３】
2008114055.tif 000007
【図４】
2008114055.tif 000008
【図５】
2008114055.tif 000009
【図６】
2008114055.tif 000010